(57)【要約】【課題】輸送用容器の大きな蓋を取り外さなくてもエアポンプのスイッチ動作が可能であり、且つ活魚の収容室内の水がエアポンプの収容室内に入り込むことを防止できる活魚の輸送用容器を提供すること【解決手段】活魚を収容可能な活魚収容部７及び該活魚収容部から隔離されたポンプ収容部９を備え、上部に活魚収容開口部１１が形成される本体部３と、活魚収容開口部及びポンプ収容部の上部を閉鎖可能な蓋体５と、ポンプ収容部内に収容されるエアポンプ２９と、該エアポンプから活魚収容部内へ延びるエア供給管２５とを備え、エアポンプにより活魚収容部内の水中にエアを供給可能な容器であり、ポンプ収容部の上部にはポンプ収容開口部１３が形成され、ポンプ収容開口部が、蓋体５により本体部の上部が閉鎖された状態で着脱可能なポンプ収容部閉鎖体３３により、水密状態で閉鎖されている。【選択図】        図１
2004337111.tif 000002
【特許請求の範囲】
【請求項１】
活魚を収容可能な活魚収容部及び該活魚収容部から隔離されたポンプ収容部を備え、上部に活魚収容開口部が形成される本体部と、前記活魚収容開口部及びポンプ収容部の上部を閉鎖可能な蓋体と、前記ポンプ収容部内に収容されるエアポンプと、該エアポンプから前記活魚収容部内へ延びるエア供給管とを備え、前記エアポンプにより活魚収容部内の水中にエアを供給可能な容器において、
前記ポンプ収容部の上部にはポンプ収容開口部が形成され、前記ポンプ収容開口部が、前記蓋体により前記本体部の上部が閉鎖された状態で着脱可能なポンプ収容部閉鎖体により、水密状態で閉鎖されていることを特徴とする活魚の輸送用容器。
【請求項２】
請求項１において、前記ポンプ収容部閉鎖体は、前記ポンプ収容開口部を水密状態で閉鎖した状態で上下動可能であり、前記ポンプ収容部閉鎖体の下面には、ポンプ収容部閉鎖体の下降動作により前記エアポンプのプッシュ式スイッチのＯＮまたはＯＦＦの切換えが可能なスイッチ動作面が形成されていることを特徴とする活魚の輸送用容器。
【請求項３】
請求項１または２において、前記ポンプ収容部閉鎖体は、ポンプ収容部閉鎖体を上昇させた後、前記ポンプ収容部から離れる方向へ水平に移動することにより前記本体部から脱着可能であることを特徴とする活魚の輸送用容器。
【請求項４】
請求項１〜３のいずれかにおいて、前記本体部及び蓋体は発泡スチロールで構成されていることを特徴とする活魚の輸送用容器。
【請求項５】
請求項１〜４のいずれかにおいて、前記蓋体は上蓋と下蓋とから構成されており、前記上蓋と下蓋との間には保冷剤収容部が形成されていることを特徴とする活魚の輸送用容器。
【発明の詳細な説明】
【０００１】
【発明の属する技術分野】
本発明は、各種海老類や甲殻類、魚類、貝類などを含む活魚を、生きた状態で輸送する活魚の輸送用容器に関する。
【０００２】
【従来の技術】
従来、ボタンエビや伊勢えび、更にはタイやヒラメ、フグなどの高級な活魚を生きた状態で輸送する活魚の輸送用容器は、例えば、特開２００２−３３５８０８号公報に開示されている。この従来例は、発泡スチロール等からなる容器に乾電池等により駆動されるエアポンプと、エアポンプから容器内へ延びるエア供給管とを備えており、容器内に水と活魚とを入れた状態で、エアポンプにより水中へ空気を送ることにより活魚を長時間に亘って生きた状態で輸送するものである。
【０００３】
【特許文献１】
特開２００２−３３５８０８号公報
このような従来の活魚の輸送用容器では、エアポンプ用の収容室が活魚を収容する部屋に隣接して設けられており、エアポンプ収容室の上方は開放状態であり、輸送用容器の蓋を被せたときにはエアポンプの上方も閉鎖されるようになっている。
【０００４】
【発明が解決しようとする課題】
しかし従来の活魚の輸送用容器では、エアポンプのスイッチをＯＮまたはＯＦＦにするためにわざわざ輸送用容器の大きな蓋を取り外さなければならない。またエアポンプの上方に輸送容器用の蓋を被せたとしても、輸送用容器を斜めにしたり容器に振動が加えられたときには、活魚の収容室内の水がエアポンプの収容室内に入り込み、電気的に駆動するエアポンプの故障の原因となることがあった。
【０００５】
そこで本発明の課題は、輸送用容器の大きな蓋を取り外さなくてもエアポンプのスイッチ動作が可能であり、且つ活魚の収容室内の水がエアポンプの収容室内に入り込むことを防止できる活魚の輸送用容器を提供することにある。
【０００６】
【課題を解決するための手段】
上記課題を達成するため、本発明の第１の態様に係る活魚の輸送用容器は、活魚を収容可能な活魚収容部及び該活魚収容部から隔離されたポンプ収容部を備え、上部に活魚収容開口部が形成される本体部と、前記活魚収容開口部及びポンプ収容部の上部を閉鎖可能な蓋体と、前記ポンプ収容部内に収容されるエアポンプと、該エアポンプから前記活魚収容部内へ延びるエア供給管とを備え、前記エアポンプにより活魚収容部内の水中にエアを供給可能な容器において、前記ポンプ収容部の上部にはポンプ収容開口部が形成され、前記ポンプ収容開口部が、前記蓋体により前記本体部の上部が閉鎖された状態で着脱可能なポンプ収容部閉鎖体により、水密状態で閉鎖されていることを特徴とするものである。
【０００７】
本発明の第１の態様によれば、ポンプ収容開口部が、ポンプ収容部閉鎖体により水密状態で閉鎖されているから、仮に活魚収容部内の水がポンプ収容部側へ漏れてきたとしてもエアポンプが水濡れして故障する事態を回避することができる。
【０００８】
また、本発明の第２の態様に係る活魚の輸送用容器は、上記第１の態様において、前記ポンプ収容部閉鎖体は、前記ポンプ収容開口部を水密状態で閉鎖した状態で上下動可能であり、前記ポンプ収容部閉鎖体の下面には、ポンプ収容部閉鎖体の下降動作により前記エアポンプのプッシュ式スイッチのＯＮまたはＯＦＦの切換えが可能なスイッチ動作面が形成されていることを特徴とするものである。本態様によれば、ポンプ収容部閉鎖体をわざわざ外さなくても、ポンプ収容部閉鎖体を下降させることにより、エアポンプのスイッチのＯＮまたはＯＦＦの切換えを行うことができる。
【０００９】
また、本発明の第３の態様に係る活魚の輸送用容器は、上記第１または２の態様において、前記ポンプ収容部閉鎖体は、ポンプ収容部閉鎖体を上昇させた後、前記ポンプ収容部から離れる方向へ水平に移動することにより前記本体部から脱着可能であることを特徴とするものである。本態様によれば、エアポンプがプッシュ式スイッチでない場合でも、蓋体を外すことなく、ポンプ収容部閉鎖体を本体部から外してそこに形成された開口からエアポンプのスイッチを指で操作することができる。
【００１０】
また、本発明の第４の態様に係る活魚の輸送用容器は、上記第１〜第３のいずれかの態様において、前記本体部及び蓋体は発泡スチロールで構成されていることを特徴とするものである。本態様によれば、保冷性の良い軽量な活魚の輸送用容器を提供することができる。
【００１１】
また、本発明の第５の態様に係る活魚の輸送用容器は、上記第１〜第４のいずれかの態様において、前記蓋体は上蓋と下蓋とから構成されており、前記上蓋と下蓋との間には保冷剤収容部が形成されていることを特徴とするものである。本態様によれば、活魚収容部内に収容された活魚の温度が上昇することを保冷剤により抑制することができる。
【００１２】
【発明の実施の形態】
以下、本願発明の実施の形態を図面に基づいて説明する。図１は本発明に係る活魚の輸送用容器１を示す斜視図である。活魚輸送用容器１は本体部３と蓋体５とを備えており、本体部３の内部には、活魚収容部７と、活魚収容部７とは独立したポンプ収容部９とが形成されている。蓋体５を取り外した状態では、活魚収容部７の上方は活魚収容開口部１１として開放されており、またポンプ収容部９の上方は、蓋体５を取り外し且つ後述するポンプ収容部閉鎖体を除去した状態ではポンプ収容開口部１３として開放している。
【００１３】
本体部３の上端の外周には本体凸部１５が形成されており、本体凸部１５の外側には本体凸部１５より一段低い本体外受け面１７が形成されている。また本体凸部１５の内側には本体内受け面１９が形成されている。本体凸部１５の上面から本体内受け面１９までの間には垂直な本体水密面１８が全周囲に亘って一例として４５ｍｍの長さで形成されており、本体水密面１８の中程には全周に亘り係合凹部２０が形成されている。尚、本体外受け面１７の対向する２箇所に貫通孔２２が形成されており、そこにベルト２１を通すことで活魚輸送用容器１を人が運搬し易くなっている。
【００１４】
本体部３の内側底面には、図２、図４に示すようにエア供給装置２３が設けられており、エア供給供給装置２３にはエア供給管２５が接続されている。エア供給管２５の他端側は、ポンプ収容部９と活魚収容部７との間の壁に形成された溝２７を介してポンプ収容部９内へ延び、ポンプ収容部９内に収容されたエアポンプ２９のエア供給口３１に接続されている。
【００１５】
エアポンプ２９は、例えば乾電池を駆動源として駆動し、活魚輸送用容器１の外気を吸引してエア供給口３１からエアを吐出する形式である。エアポンプ２９は、その上面に形成されたプッシュ式のスイッチ３２を備えており、このスイッチ３２を上方から１回押すことでエアポンプ２９がＯＮ状態（駆動状態）となり、再度押すことでＯＦＦ状態、即ちエアポンプの駆動が停止する。
【００１６】
ポンプ収容部９の上方に形成されたポンプ収容開口部１３には、ポンプ収容開口部１３を実質的に水密状態に閉鎖するようにポンプ収容部閉鎖体３３が設けられている。ポンプ収容部閉鎖体３３は図１〜図３に示すように、ポンプ収容開口部１３の開口形状と実質的に同じ形状のスライド部３５と、該スライド部３５の上部に形成される閉鎖部３７とから構成されており、スライド部３５の下面には、上記エアポンプ２９のプッシュ式のスイッチ３２を押し込むためのスイッチ動作面３９が形成されている。ポンプ収容部閉鎖体３３は、本体部３に蓋体５が取り付けられた状態で、ポンプ収容開口部１３内で水密状態を維持したまま図５（ａ）（ｂ）に示すように上下方向に移動することができ、ポンプ収容部閉鎖体３３の下降動作時（図５（ｂ）参照）にスイッチ動作面３９がプッシュ式のスイッチ３２を押し込んでＯＮ／ＯＦＦ動作ができるようになっている。従って作業者は、活魚輸送用容器１の蓋体５を開けることなく、ポンプ収容部閉鎖体３３を上下に操作するだけでエアポンプ２９のスイッチ動作を行うことが可能である。
【００１７】
図１及び図２に最も良く示されているように、ポンプ収容部９の側壁には側壁開口４１が形成されており、側壁開口４１の最下部には、ポンプ収容部閉鎖体３３が最も下まで下がったときにスライド部３５が係止する下降規制面４３が形成されている。側壁開口４１の上下方向長さは、本体部３に蓋体５が取り付けられた状態で、収容部閉鎖体３３を最も上側の位置まで移行したときに、図６（ｃ）に示すように側壁開口４１を介して収容部閉鎖体３３を引き出せるようになっている。
【００１８】
このように本体部３に蓋体５が取り付けられた状態で、収容部閉鎖体３３を活魚輸送用容器１から取り外すことができる構成を採用することにより、エアポンプ２９のスイッチが上記で説明したようなプッシュ式のスイッチ３２ではなく、例えばつまみ式スイッチ３４など手で操作しなければならないスイッチである場合に、図６（ａ）の状態からポンプ収容部閉鎖体３３を一杯まで上昇させた後（図６（ｂ）参照）、側壁開口４１を介してポンプ収容部９から離れる方向（図６（ｃ）の白抜き矢印参照）へ水平方向に引き出すことにより、スイッチを手で操作するための開口を形成することができる（図６（ｃ））。そして作業者は、このようにして形成された開口から指を入れてスイッチ３４を図６（ｃ）中矢印で示すようにＯＮ／ＯＦＦ操作することができる。従って本実施の形態では、エアポンプ２９のスイッチがプッシュ式であっても、あるいはその他の指で操作する形式であっても、本体部３から蓋体５を取り外す必要なくエアポンプ２９のスイッチを操作することができる。
【００１９】
次に活魚輸送用容器１の蓋体５の構成について説明する。蓋体５は図１に示すように上蓋４５と下蓋４７とから構成されている。上蓋４５は周囲に上蓋フランジ部４９を有し、上蓋フランジ部４９の下面には、本体部３における本体凸部１５を全周囲に亘って丁度受け入れる形状の上蓋凹部５１が形成されている。上蓋凹部５１の外側には上蓋外凸部５３が形成され、上蓋凹部５１の内側には上蓋内凸部５５が形成されており、上蓋外凸部５３の下面は、上蓋４５の閉鎖時に本体部３の本体外受け面１７とぴったり当接するようになっている。
【００２０】
下蓋４７の上面側には保冷剤や氷５６を収容するための保冷剤収容部５７が形成されており、保冷剤収容部５７の周囲には全周囲に亘り下蓋凸部５９が上向きに形成され、下蓋凸部５９の外側には下蓋受け面６１が全周囲に亘り形成されている。下蓋受け面６１は、上蓋４５の閉鎖時に上蓋４５の上蓋内凸部５５の下面がぴったり当接するようになっている。
【００２１】
下蓋４７の下面側の周囲には下蓋下凸部６３が形成されており、下蓋下凸部６３の周囲には下蓋係合面６５が形成されている。下蓋４７を本体部３に嵌め込んだときには、下蓋係合面６５は、本体部３の本体内受け面１９上にぴったりと当接するようになっている。下蓋受け面６１の外端と下蓋係合面６５の外端とを結ぶように下蓋水密面６７が形成されており、下蓋水密面６７の全周囲には係合凸部６９が形成されている。下蓋４７を本体部３に嵌め込んだときには、下蓋水密面６７が本体水密面１８にぴったりと当接するとともに、下蓋４７側の係合凸部６９が本体部３側の係合凹部２０にぴったりと、あるいは若干の弾性変形をした状態で嵌まり込むことができるようになっている。
【００２２】
図２は、本体部３に下蓋４７がぴったりと嵌まっているときの縦断面図である。図２に示すように本体部３の内面と下蓋４７との接触部分の長さが長くなっている上に、係合凸部６９と係合凹部２０とが水密状態で当接あるいは係合しているから、活魚輸送用容器１を斜めにしたり、揺らしたりした場合でも、活魚収容部７内の水４８が下蓋４７を越えて外側へ漏れることがない。従ってポンプ収容部９へも水が侵入することがなく、エアポンプ２９の水濡れによる故障を極力なくすことができる。
【図面の簡単な説明】
【図１】本発明の活魚の輸送用容器の分解斜視図である。
【図２】本発明の活魚の輸送用容器の使用状態を示す縦断正面図である。
【図３】活魚の輸送用容器の下蓋だけを閉じた状態を示す平面図である。
【図４】活魚の輸送用容器の下蓋及び外蓋を外した状態を示す平面図である。
【図５】プッシュ式スイッチのＯＦＦ，ＯＮ時の各状態を示す側面図である。
【図６】ポンプ収容部閉鎖体を取り外し、つまみ式スイッチを操作するまでの過程を示す説明図である。
【符号の説明】
１  活魚輸送用容器
３  本体部
５  蓋体
７  活魚収容部
９  ポンプ収容部
１１  活魚収容開口部
１３  ポンプ収容開口部
１５  本体凸部
１７  本体外受け面
１８  本体水密面
１９  本体内受け面
２０  係合凹部
２１  ベルト
２２  貫通孔
２３  エア供給装置
２５  エア供給管
２７  溝
２９  エアポンプ
３１  エア供給口
３２  プッシュ式スイッチ
３３  ポンプ収容部閉鎖体
３４  つまみ式スイッチ
３５  スライド部
３７  閉鎖部
３９  スイッチ動作面
４１  側壁開口
４３  下降規制面
４５  上蓋
４７  下蓋
４８  水
４９  上蓋フランジ部
５１  上蓋凹部
５３  上蓋外凸部
５５  上蓋内凸部
５６  保冷剤または氷
５７  保冷剤収容部
５９  下蓋凸部
６１  下蓋受け面
６３  下蓋下凸部
６５  下蓋係合面
６７  下蓋水密面
６９  係合凸部
【図１】
2004337111.tif 000003
【図２】
2004337111.tif 000004
【図３】
2004337111.tif 000005
【図４】
2004337111.tif 000006
【図５】
2004337111.tif 000007
【図６】
2004337111.tif 000008